(57)【要約】        【課題】  スロットマシンに関し、サブリールに表示された図柄の見え方を変化させることで、メインリールとは異なったサブリールを用いた特有の演出を行うことができるようにしたものである。        【解決手段】  第１、第２サブリール(200,210)の少なくとも１個のサブリールには、着色されたフィルタ(401〜406)を有する移動体(400)、フィルタ(401〜406)をメイン表示窓(20)と当該メイン表示窓(20)に臨むサブリールに表示された図柄との間に位置させた使用位置と、当該フィルタ(401〜406)をメイン表示窓(20)から離隔させた離隔位置との間で、移動体(400)を移動するための移動体移動機構(410)を備える。遊技制御装置(500)には、移動体移動機構(410)により、フィルタ(401〜406)を離隔位置から使用位置に移動するための移動体移動制御手段(750)を備える。    【選択図】    図１
2009112411.tif 000002
【特許請求の範囲】
【請求項１】
メインリール軸を中心に回転可能に保持され、外周に複数種類の図柄が表示された少なくとも３個の第１〜第３メインリールと、
前記第１〜第３メインリールを個別に回転可能なメインリール駆動源と、
メダルの投入を条件に、前記メインリール駆動源により、前記第１〜第３メインリールを回転させるためのスタートスイッチと、
前記メインリール駆動源により回転する前記第１〜第３メインリールを個別に停止可能な第１〜第３ストップスイッチと、
前記メインリール駆動源、前記スタートスイッチ及び前記第１〜第３ストップスイッチに個々に接続され、遊技を進行させるための遊技制御装置とを備えるスロットマシンにおいて、
前記スロットマシンには、
前記メインリール軸と同一直線上に配置されるサブリール軸を有し、当該サブリール軸を中心に回転可能に保持され、外周に複数種類の図柄が表示された少なくとも２個の第１、第２サブリールと、
前記遊技制御装置に接続され、前記第１、第２サブリールを個別に回転可能なサブリール駆動源と、
前記第１〜第３メインリール及び前記第１、第２サブリールのうち、３個が臨むことが可能なメイン表示窓と、
前記第１〜第３メインリール及び前記第１、第２サブリールのうち、残る２個が個別に臨むことが可能な２個のサブ表示窓とを備え、
前記メイン表示窓の下側には、
当該メイン表示窓に臨む各リール毎に前記第１〜第３ストップスイッチをそれぞれ臨ませ、
前記第１〜第３メインリールは、
当該第１〜第３メインリールのうち、１個のメインリールを前記メイン表示窓に臨ませ、
残る２個のメインリールを前記２個のサブ表示窓にそれぞれ臨ませ、
前記第１、第２サブリールは、前記メイン表示窓にそれぞれ臨ませ、
前記第１、第２サブリールの少なくとも１個のサブリールには、
着色されたフィルタを有する移動体と、
前記フィルタを前記メイン表示窓と当該メイン表示窓に臨む前記サブリールに表示された図柄との間に位置させた使用位置と、当該フィルタを前記メイン表示窓から離隔させた離隔位置との間で、前記移動体を移動するための移動体移動機構とを備え、
前記遊技制御装置には、
前記移動体移動機構により、前記フィルタを前記離隔位置から前記使用位置に移動するための移動体移動制御手段を備えていることを特徴とするスロットマシン。
【請求項２】
メインリール軸を中心に回転可能に保持され、外周に複数種類の図柄が表示された少なくとも３個の第１〜第３メインリールと、
前記第１〜第３メインリールを個別に回転可能なメインリール駆動源と、
メダルの投入を条件に、前記メインリール駆動源により、前記第１〜第３メインリールを回転させるためのスタートスイッチと、
前記メインリール駆動源により回転する前記第１〜第３メインリールを個別に停止可能な第１〜第３ストップスイッチと、
前記メインリール駆動源、前記スタートスイッチ及び前記第１〜第３ストップスイッチに個々に接続され、遊技を進行させるための遊技制御装置とを備えるスロットマシンにおいて、
前記スロットマシンには、
前記メインリール軸と同一直線上に配置されるサブリール軸を有し、当該サブリール軸を中心に回転可能に保持され、外周に複数種類の図柄が表示された１個のサブリールと、
前記遊技制御装置に接続され、前記サブリールを回転可能なサブリール駆動源と、
前記第１〜第３メインリール及び前記サブリールのうち、３個が臨むことが可能なメイン表示窓と、
前記第１〜第３メインリール及び前記サブリールのうち、残る１個が臨むことが可能な１個のサブ表示窓とを備え、
前記メイン表示窓の下側には、
当該メイン表示窓に臨む各リール毎に前記第１〜第３ストップスイッチをそれぞれ臨ませ、
前記第１〜第３メインリールは、
当該第１〜第３メインリールのうち、２個のメインリールを前記メイン表示窓にそれぞれ臨ませ、
残る１個のメインリールを前記サブ表示窓に臨ませ、
前記サブリールは、前記メイン表示窓に臨ませ、
前記サブリールには、
着色されたフィルタを有する移動体と、
前記フィルタを前記メイン表示窓と当該メイン表示窓に臨む前記サブリールに表示された図柄との間に位置させた使用位置と、当該フィルタを前記メイン表示窓から離隔させた離隔位置との間で、前記移動体を移動するための移動体移動機構とを備え、
前記遊技制御装置には、
前記移動体移動機構により、前記フィルタを前記離隔位置から前記使用位置に移動するための移動体移動制御手段を備えていることを特徴とするスロットマシン。
【請求項３】
請求項１又は請求項２に記載のスロットマシンであって、
前記移動体には、
複数種類の前記フィルタを有し、
前記移動体移動制御手段は、
遊技の進行に応じて、前記複数種類のフィルタのうちから、１種類のフィルタを選択し、当該フィルタを離隔位置から使用位置に移動するようにしていることを特徴とするスロットマシン。
【請求項４】
請求項１〜３のいずれか１項に記載のスロットマシンであって、
前記フィルタは、
所定の色に着色され、
当該フィルタを通して見る前記図柄には、
当該フィルタと同色に着色された着色部分を有していることを特徴とするスロットマシン。
【請求項５】
請求項１〜４のいずれか１項に記載のスロットマシンであって、
前記移動体には、
前記図柄を素通しで見せるための切欠部を設けていることを特徴とするスロットマシン。
【請求項６】
メインリール軸を中心に回転可能に保持され、外周に複数種類の図柄が表示された少なくとも３個の第１〜第３メインリールと、
前記第１〜第３メインリールを個別に回転可能なメインリール駆動源と、
メダルの投入を条件に、前記メインリール駆動源により、前記第１〜第３メインリールを回転させるためのスタートスイッチと、
前記メインリール駆動源により回転する前記第１〜第３メインリールを個別に停止可能な第１〜第３ストップスイッチと、
前記メインリール駆動源、前記スタートスイッチ及び前記第１〜第３ストップスイッチに個々に接続され、遊技を進行させるための遊技制御装置とを備えるスロットマシンにおいて、
前記スロットマシンには、
前記メインリール軸と同一直線上に配置されるサブリール軸を有し、当該サブリール軸を中心に回転可能に保持され、外周に複数種類の図柄が表示された少なくとも２個の第１、第２サブリールと、
前記遊技制御装置に接続され、前記第１、第２サブリールを個別に回転可能なサブリール駆動源と、
前記第１〜第３メインリール及び前記第１、第２サブリールのうち、３個が臨むことが可能なメイン表示窓と、
前記第１〜第３メインリール及び前記第１、第２サブリールのうち、残る２個が個別に臨むことが可能な２個のサブ表示窓とを備え、
前記メイン表示窓の下側には、
当該メイン表示窓に臨む各リール毎に前記第１〜第３ストップスイッチをそれぞれ臨ませ、
前記第１〜第３メインリールは、
当該第１〜第３メインリールのうち、１個のメインリールを前記メイン表示窓に臨ませ、
残る２個のメインリールを前記２個のサブ表示窓にそれぞれ臨ませ、
前記第１、第２サブリールは、前記メイン表示窓にそれぞれ臨ませ、
前記第１、第２サブリールの少なくとも１個のサブリールには、
前記メイン表示窓の外側から内部に移動可能であり、当該メイン表示窓に臨む前記１個のサブリールに表示された図柄の上方に移動可能な上方飾枠と、
前記メイン表示窓の外側から内部に移動可能であり、前記図柄の下方に移動し、前記上方飾枠と前記図柄をはさんで上下に対向する下方飾枠と、
前記上方飾枠及び前記下方飾枠が前記メイン表示窓の外側に位置する待避位置と、前記上方飾枠及び前記下方飾枠を前記メイン表示窓の内部に向かって個別に移動させ、前記図柄をはさんで前記上方飾枠と前記下方飾枠とを上下に対向させる装飾位置とに、前記上方飾枠及び前記下方飾枠とを個別に移動するための飾枠移動機構とを備え、
前記遊技制御装置には、
前記飾枠移動機構により、前記上方飾枠及び前記下方飾枠を前記待避位置から前記装飾位置に移動するための飾枠移動制御手段を備えていることを特徴とするスロットマシン。
【請求項７】
メインリール軸を中心に回転可能に保持され、外周に複数種類の図柄が表示された少なくとも３個の第１〜第３メインリールと、
前記第１〜第３メインリールを個別に回転可能なメインリール駆動源と、
メダルの投入を条件に、前記メインリール駆動源により、前記第１〜第３メインリールを回転させるためのスタートスイッチと、
前記メインリール駆動源により回転する前記第１〜第３メインリールを個別に停止可能な第１〜第３ストップスイッチと、
前記メインリール駆動源、前記スタートスイッチ及び前記第１〜第３ストップスイッチに個々に接続され、遊技を進行させるための遊技制御装置とを備えるスロットマシンにおいて、
前記スロットマシンには、
前記メインリール軸と同一直線上に配置されるサブリール軸を有し、当該サブリール軸を中心に回転可能に保持され、外周に複数種類の図柄が表示された１個のサブリールと、
前記遊技制御装置に接続され、前記サブリールを回転可能なサブリール駆動源と、
前記第１〜第３メインリール及び前記サブリールのうち、３個が臨むことが可能なメイン表示窓と、
前記第１〜第３メインリール及び前記サブリールのうち、残る１個が臨むことが可能な１個のサブ表示窓とを備え、
前記メイン表示窓の下側には、
当該メイン表示窓に臨む各リール毎に前記第１〜第３ストップスイッチをそれぞれ臨ませ、
前記第１〜第３メインリールは、
当該第１〜第３メインリールのうち、２個のメインリールを前記メイン表示窓にそれぞれ臨ませ、
残る１個のメインリールを前記サブ表示窓に臨ませ、
前記サブリールは、前記メイン表示窓に臨ませ、
前記サブリールには、
前記メイン表示窓の外側から内部に移動可能であり、当該メイン表示窓に臨む前記サブリールに表示された図柄の上方に移動可能な上方飾枠と、
前記メイン表示窓の外側から内部に移動可能であり、前記図柄の下方に移動し、前記上方飾枠と前記図柄をはさんで上下に対向する下方飾枠と、
前記上方飾枠及び前記下方飾枠が前記メイン表示窓の外側に位置する待避位置と、前記上方飾枠及び前記下方飾枠を前記メイン表示窓の内部に向かって個別に移動させ、前記図柄をはさんで前記上方飾枠と前記下方飾枠とを上下に対向させる装飾位置とに、前記上方飾枠及び前記下方飾枠とを個別に移動するための飾枠移動機構とを備え、
前記遊技制御装置には、
前記飾枠移動機構により、前記上方飾枠及び前記下方飾枠を前記待避位置から前記装飾位置に移動するための飾枠移動制御手段を備えていることを特徴とするスロットマシン。
【請求項８】
請求項６又は請求項７に記載のスロットマシンであって、
前記飾枠移動機構は、
前記上方飾枠及び前記下方飾枠を左右方向に移動させることができるようにしていることを特徴とするスロットマシン。
【請求項９】
請求項６〜８のいずれか１項に記載のスロットマシンであって、
前記上方飾枠と前記下方飾枠とのいずれか少なくとも一方には、
飾枠発光源を内蔵し、
前記遊技制御装置には、
前記飾枠発光源を発光させるための飾枠発光制御手段を備えていることを特徴とするスロットマシン。
【発明の詳細な説明】
【技術分野】
【０００１】
この発明は、スロットマシンに関し、サブリールに表示された図柄の見え方を変化させることで、メインリールとは異なったサブリールを用いた特有の演出を行うことができるようにしたものである。
【背景技術】
【０００２】
従来、３個のメインリールと２個のサブリールとを備えたスロットマシンが知られている（例えば特許文献１の段落番号「００１７」、図１参照）。
上記した３個の各メインリールと、２個の各サブリールとは、各リールの中心が同一線上となるように交互に配置されている（例えば特許文献１の段落番号「００１７」、図１参照）。
【特許文献１】特開2007-90002号公報（段落番号「００１７」、図１）
【発明の開示】
【発明が解決しようとする課題】
【０００３】
しかし、上記した従来のスロットマシンでは、メインリールとサブリールとの両リールに表示された図柄の見え方の差異が無いという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００４】
すなわち、請求項１に記載の発明は、サブリールに表示された図柄の見え方を変化させることで、メインリールとは異なったサブリールを用いた特有の演出を行うことができるようにしたものである。
すなわち、請求項１に記載の発明によれば、サブリールの図柄の見え方を変化させるためのフィルタを有する移動体を、当該サブリールの前面に配置し、遊技の進行にもとづいて移動体を移動させることで、フィルタの色とサブリールに表示する図柄の色との組み合わせにより、サブリールの図柄の見え方を様々に変化させることができる。
（請求項２）
請求項２に記載の発明は、次の点を目的とする。
【０００５】
すなわち、請求項２に記載の発明は、上記した請求項１に記載の発明の目的と同様に、サブリールに表示された図柄の見え方を変化させることで、メインリールとは異なったサブリールを用いた特有の演出を行うことができるようにしたものである。
すなわち、請求項２に記載の発明によれば、上記した請求項１に記載の発明と比較して、サブリールの個数を１個に減少することができる。
（請求項３）
請求項３に記載の発明は、上記した請求項１又は請求項２に記載の発明の目的に加え、次の点を目的とする。
【０００６】
すなわち、請求項３に記載の発明は、複数種類のフィルタのうちから、１種類のフィルタを遊技の進行に応じて選択させることができるようにしたものである。
（請求項４）
請求項４に記載の発明は、上記した請求項１〜３のいずれか１項に記載の発明の目的に加え、次の点を目的とする。
【０００７】
すなわち、請求項４に記載の発明は、フィルタと同色に着色された着色部分を、サブリールに表示する図柄に設けることで、着色部分の前方にフィルタを移動させたときに、当該着色部分が消えたかのように、遊技者に見せることができるようにしたものである。
（請求項５）
請求項５に記載の発明は、上記した請求項１〜４のいずれか１項に記載の発明の目的に加え、次の点を目的とする。
【０００８】
すなわち、請求項５に記載の発明は、図柄を素通しで見せるための切欠部を移動体に設けることで、図柄のありのままの状態を遊技者に見せることができるようにしたものである。
（請求項６）
請求項６に記載の発明は、次の点を目的とする。
【０００９】
すなわち、請求項６に記載の発明は、上記した請求項１に記載の発明の目的と同様に、サブリールに表示された図柄の見え方を変化させることで、メインリールとは異なったサブリールを用いた特有の演出を行うことができるようにしたものである。
すなわち、請求項６に記載の発明によれば、メイン表示窓に臨むサブリールに、上下方向に移動可能な上下の飾枠を設けることで、当該上下の飾枠により、サブリールに停止表示された図柄を強調させて、遊技者に見せることができるようにしたものである。
（請求項７）
請求項７に記載の発明は、次の点を目的とする。
【００１０】
すなわち、請求項７に記載の発明は、上記した請求項６に記載の発明の目的と同様に、サブリールに表示された図柄の見え方を変化させることで、メインリールとは異なったサブリールを用いた特有の演出を行うことができるようにしたものである。
すなわち、請求項７に記載の発明によれば、上記した請求項６に記載の発明と比較して、サブリールの個数を１個に減少することができる。
（請求項８）
請求項８に記載の発明は、上記した請求項６又は請求項７に記載の発明の目的に加え、次の点を目的とする。
【００１１】
すなわち、請求項８に記載の発明は、上下の飾枠を上下方向に加えて、左右方向に移動させることができるようにしたものである。
（請求項９）
請求項９に記載の発明は、上記した請求項６〜８のいずれか１項に記載の発明の目的に加え、次の点を目的とする。
【００１２】
すなわち、請求項９に記載の発明は、発光源により上下の飾枠のいずれか少なくとも一方を発光させることができるようにしたものである。
【課題を解決するための手段】
【００１３】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１４】
第１に、スロットマシン(10)には、例えば図１〜３に示すように、次の構成を備える。
（１）第１〜第３メインリール(100,110,120)
第１〜第３メインリール(100,110,120)は、少なくとも３個有り、メインリール軸(M)を中心に回転可能に保持され、外周に複数種類の図柄が表示されたものである。
（２）メインリール駆動源（第１〜第３メインリールモータ101,111,121）
メインリール駆動源（第１〜第３メインリールモータ101,111,121）は、第１〜第３メインリール(100,110,120)を個別に回転可能なものである。
【００１５】
（３）スタートスイッチ(80)
スタートスイッチ(80)は、メダル（図示せず）の投入を条件に、メインリール駆動源（第１〜第３メインリールモータ101,111,121）により、第１〜第３メインリール(100,110,120)を回転させるためのものである。
（４）第１〜第３ストップスイッチ(90〜92)
第１〜第３ストップスイッチ(90〜92)は、メインリール駆動源（第１〜第３メインリールモータ101,111,121）により回転する第１〜第３メインリール(100,110,120)を個別に停止可能なものである。
【００１６】
（５）遊技制御装置(500)
遊技制御装置(500)は、メインリール駆動源（第１〜第３メインリールモータ101,111,121）、スタートスイッチ(80)及び第１〜第３ストップスイッチ(90〜92)に個々に接続され、遊技を進行させるためのものである。
第２に、スロットマシン(10)には、例えば図１〜３に示すように、次の構成を備える。
【００１７】
（６）第１、第２サブリール(200,210)
第１、第２サブリール(200,210)は、少なくとも２個有り、メインリール軸(M)と同一直線上に配置されるサブリール軸(S)を有し、当該サブリール軸(S)を中心に回転可能に保持され、外周に複数種類の図柄が表示されたものである。
（７）サブリール駆動源（第１、第２サブリールモータ201,211）
サブリール駆動源（第１、第２サブリールモータ201,211）は、遊技制御装置(500)に接続され、第１、第２サブリール(200,210)を個別に回転可能なものである。
【００１８】
（８）メイン表示窓(20)
メイン表示窓(20)は、第１〜第３メインリール(100,110,120)及び第１、第２サブリール(200,210)のうち、３個が臨むことが可能なものである。
（９）サブ表示窓（例えば第１、第２サブ表示窓30,40）
サブ表示窓（例えば第１、第２サブ表示窓30,40）は、２個有り、第１〜第３メインリール(100,110,120)及び第１、第２サブリール(200,210)のうち、残る２個が個別に臨むことが可能なものである。
【００１９】
第３に、メイン表示窓(20)の下側には、例えば図３に示すように、当該メイン表示窓(20)に臨む各リール毎に第１〜第３ストップスイッチ(90〜92)をそれぞれ臨ませる。
第４に、第１〜第３メインリール(100,110,120)は、例えば図１に示すように、当該第１〜第３メインリール(100,110,120)のうち、１個のメインリールをメイン表示窓(20)に臨ませ、残る２個のメインリールを２個のサブ表示窓（例えば第１、第２サブ表示窓30,40）にそれぞれ臨ませる。
【００２０】
第５に、第１、第２サブリール(200,210)は、例えば図１に示すように、メイン表示窓(20)にそれぞれ臨ませる。
第６に、第１、第２サブリール(200,210)の少なくとも１個のサブリールには、例えば図１及び図２に示すように、次の構成を備える。
（１０）移動体(400)
移動体(400)は、着色されたフィルタ(401〜406)を有するものである。
【００２１】
（１１）移動体移動機構(410)
移動体移動機構(410)は、フィルタ(401〜406)をメイン表示窓(20)と当該メイン表示窓(20)に臨むサブリールに表示された図柄との間に位置させた使用位置と、当該フィルタ(401〜406)をメイン表示窓(20)から離隔させた離隔位置との間で、移動体(400)を移動するためのものである。
【００２２】
第７に、遊技制御装置(500)には、例えば図２に示すように、次の構成を備える。
（１２）移動体移動制御手段(750)
移動体移動制御手段(750)は、移動体移動機構(410)により、フィルタ(401〜406)を離隔位置から使用位置に移動するためのものである。
（請求項２）
請求項２に記載の発明は、次の点を特徴とする。
【００２３】
第１に、スロットマシン(10)には、例えば図８及び図９に示すように、次の構成を備える。
（１）第１〜第３メインリール(130,140,150)
第１〜第３メインリール(130,140,150)は、少なくとも３個有り、メインリール軸(M)を中心に回転可能に保持され、外周に複数種類の図柄が表示されたものである。
【００２４】
（２）メインリール駆動源（第１〜第３メインリールモータ131,141,151）
メインリール駆動源（第１〜第３メインリールモータ131,141,151）は、第１〜第３メインリール(130,140,150)を個別に回転可能なものである。
（３）スタートスイッチ(80)
スタートスイッチ(80)は、メダルの投入を条件に、メインリール駆動源（第１〜第３メインリールモータ131,141,151）により、第１〜第３メインリール(130,140,150)を回転させるためのものである。
【００２５】
（４）第１〜第３ストップスイッチ(90〜92)
第１〜第３ストップスイッチ(90〜92)は、メインリール駆動源（第１〜第３メインリールモータ131,141,151）により回転する第１〜第３メインリール(130,140,150)を個別に停止可能なものである。
（５）遊技制御装置(500)
遊技制御装置(500)は、メインリール駆動源（第１〜第３メインリールモータ131,141,151）、スタートスイッチ(80)及び第１〜第３ストップスイッチ(90〜92)に個々に接続され、遊技を進行させるためのものである。
【００２６】
第２に、スロットマシン(10)には、例えば図８及び図９に示すように、次の構成を備える。
（６）サブリール(240)
サブリール(240)は、１個有り、メインリール軸(M)と同一直線上に配置されるサブリール軸(S)を有し、当該サブリール軸(S)を中心に回転可能に保持され、外周に複数種類の図柄が表示されたものである。
【００２７】
（７）サブリール駆動源（例えばサブリールモータ241）
サブリール駆動源（例えばサブリールモータ241）は、遊技制御装置(500)に接続され、サブリール(240)を回転可能なものである。
（８）メイン表示窓(20)
メイン表示窓(20)は、第１〜第３メインリール(130,140,150)及びサブリール(240)のうち、３個が臨むことが可能なものである。
【００２８】
（９）サブ表示窓(430)
サブ表示窓(430)は、１個有り、第１〜第３メインリール(130,140,150)及びサブリール(430)のうち、残る１個が臨むことが可能なものである。
第３に、メイン表示窓(20)の下側には、図８に示すように、メイン表示窓(20)に臨む各リール毎に第１〜第３ストップスイッチ(90〜92)をそれぞれ臨ませる。
【００２９】
第４に、第１〜第３メインリール(130,140,150)は、図８に示すように、当該第１〜第３メインリール(130,140,150)のうち、２個のメインリールをメイン表示窓(20)に臨ませ、残る１個のメインリールをサブ表示窓(430)にそれぞれ臨ませる。
第５に、サブリール(240)は、図８に示すように、メイン表示窓(430)に臨ませる。
第６に、サブリール(240)には、図８及び図９に示すように、次の構成を備える。
【００３０】
（１０）移動体(400)
移動体(400)は、着色されたフィルタ(401〜406)を有するものである。
（１１）移動体移動機構(410)
移動体移動機構(410)は、フィルタ(401〜406)をメイン表示窓(20)と当該メイン表示窓(20)に臨むサブリール(240)に表示された図柄との間に位置させた使用位置と、当該フィルタ(401〜406)をメイン表示窓(20)から離隔させた離隔位置との間で、移動体(400)を移動するためのものである。
【００３１】
第７に、遊技制御装置(500)には、例えば図９に示すように、次の構成を備える。
（１２）移動体移動制御手段(750)
移動体移動制御手段(750)は、移動体移動機構(410)により、フィルタ(401〜406)を離隔位置から使用位置に移動するためのものである。
（請求項３）
請求項３に記載の発明は、上記した請求項１又は請求項２に記載の発明の特徴点に加え、次の点を特徴とする。
【００３２】
第１に、移動体(400)には、例えば図１に示すように、複数種類のフィルタ(401〜406)を有する。
第２に、移動体移動制御手段(750)は、遊技の進行に応じて、複数種類のフィルタ(401〜406)のうちから、１種類のフィルタ(401〜406)を選択し、当該フィルタ(401〜406)を離隔位置から使用位置に移動するようにしている。
（請求項４）
請求項４に記載の発明は、上記した請求項１〜３のいずれか１項に記載の発明の特徴点に加え、次の点を特徴とする。
【００３３】
第１に、フィルタ(401〜406)は、図示しないが、所定の色に着色される。
第２に、当該フィルタ(401〜406)を通して見る図柄には、例えば図４に示すように、当該フィルタ(401〜406)と同色に着色された着色部分を有している。
（請求項５）
請求項５に記載の発明は、上記した請求項１〜４のいずれか１項に記載の発明の特徴点に加え、次の点を特徴とする。
【００３４】
すなわち、移動体(400)には、例えば図７に示すように、図柄を素通しで見せるための切欠部(420)を設けている。
（請求項６）
請求項６に記載の発明は、次の点を特徴とする。
第１に、スロットマシン(10)には、例えば図１０及び図１４に示すように、次の構成を備える。
【００３５】
（１）第１〜第３メインリール(100,110,120)
第１〜第３メインリール(100,110,120)は、少なくとも３個有り、メインリール軸(M)を中心に回転可能に保持され、外周に複数種類の図柄が表示されたものである。
（２）メインリール駆動源（第１〜第３メインリールモータ101,111,121）
メインリール駆動源（第１〜第３メインリールモータ101,111,121）は、第１〜第３メインリール(100,110,120)を個別に回転可能なものである。
【００３６】
（３）スタートスイッチ(80)
スタートスイッチ(80)は、メダルの投入を条件に、メインリール駆動源（第１〜第３メインリールモータ101,111,121）により、第１〜第３メインリール(100,110,120)を回転させるためのものである。
（４）第１〜第３ストップスイッチ(90〜92)
第１〜第３ストップスイッチ(90〜92)は、メインリール駆動源（第１〜第３メインリールモータ101,111,121）により回転する第１〜第３メインリール(100,110,120)を個別に停止可能なものである。
【００３７】
（５）遊技制御装置(500)
遊技制御装置(500)は、メインリール駆動源（第１〜第３メインリールモータ101,111,121）、スタートスイッチ(80)及び第１〜第３ストップスイッチ(90〜92)に個々に接続され、遊技を進行させるためのものである。
第２に、スロットマシン(10)には、例えば図１０及び図１４に示すように、次の構成を備える。
【００３８】
（６）第１、第２サブリール(200,210)
第１、第２サブリール(200,210)は、少なくとも２個有り、メインリール軸(M)と同一直線上に配置されるサブリール軸(S)を有し、当該サブリール軸(S)を中心に回転可能に保持され、外周に複数種類の図柄が表示されたものである。
（７）サブリール駆動源（第１、第２サブリールモータ201,211）
サブリール駆動源（第１、第２サブリールモータ201,211）は、遊技制御装置(500)に接続され、第１、第２サブリール(200,210)を個別に回転可能なものである。
【００３９】
（８）メイン表示窓(20)
メイン表示窓(20)は、第１〜第３メインリール(100,110,120)及び第１、第２サブリール(200,210)のうち、３個が臨むことが可能なものである。
（９）サブ表示窓（例えば第１、第２サブ表示窓30,40）
サブ表示窓（例えば第１、第２サブ表示窓30,40）は、２個有り、第１〜第３メインリール(100,110,120)及び第１、第２サブリール(200,210)のうち、残る２個が個別に臨むことが可能なものである。
【００４０】
第３に、メイン表示窓(20)の下側には、例えば図８に示すように、当該メイン表示窓(20)に臨む各リール毎に第１〜第３ストップスイッチ(90〜92)をそれぞれ臨ませる。
第４に、第１〜第３メインリール(100,110,120)は、例えば図８に示すように、当該第１〜第３メインリール(100,110,120)のうち、１個のメインリールをメイン表示窓(20)に臨ませ、残る２個のメインリールを２個のサブ表示窓（例えば第１、第２サブ表示窓30,40）にそれぞれ臨ませる。
【００４１】
第５に、第１、第２サブリール(200,210)は、例えば図１０に示すように、メイン表示窓(20)にそれぞれ臨ませる。
第６に、第１、第２サブリール(200,210)の少なくとも１個のサブリールには、例えば図１０及び図１４に示すように、次の構成を備える。
（１０）上方飾枠(800)
上方飾枠(800)は、上方飾枠(800)メイン表示窓(20)の外側から内部に移動可能であり、当該メイン表示窓(20)に臨む１個のサブリールに表示された図柄の上方に移動可能なものである。
【００４２】
（１１）下方飾枠(810)
下方飾枠(810)は、メイン表示窓(20)の外側から内部に移動可能であり、図柄の下方に移動し、上方飾枠(800)と図柄をはさんで上下に対向するものである。
（１２）飾枠移動機構(820)
飾枠移動機構(820)は、上方飾枠(800)及び下方飾枠(810)がメイン表示窓(20)の外側に位置する待避位置（例えば図１０参照）と、上方飾枠(800)及び下方飾枠(810)をメイン表示窓(20)の内部に向かって個別に移動させ、図柄をはさんで上方飾枠(800)と下方飾枠(810)とを上下に対向させる装飾位置（例えば図１１参照）とに、上方飾枠(800)及び下方飾枠(810)とを個別に移動するためのものである。
【００４３】
第７に、遊技制御装置(500)には、例えば図１４に示すように、次の構成を備える。
（１３）飾枠移動制御手段(900)
飾枠移動制御手段(900)は、飾枠移動機構(820)により、上方飾枠(800)及び下方飾枠(810)を待避位置から装飾位置に移動するためのものである。
（請求項７）
請求項７に記載の発明は、次の点を特徴とする。
【００４４】
第１に、スロットマシン(10)には、例えば図１６及び図１７に示すように、次の構成を備える。
（１）第１〜第３メインリール(160,170,180)
第１〜第３メインリール(160,170,180)は、少なくとも３個有り、メインリール軸(M)を中心に回転可能に保持され、外周に複数種類の図柄が表示されたものである。
【００４５】
（２）メインリール駆動源（第１〜第３メインリールモータ161,171,181）
メインリール駆動源（第１〜第３メインリールモータ161,171,181）は、第１〜第３メインリール(160,170,180)を個別に回転可能なものである。
（３）スタートスイッチ(80)
スタートスイッチ(80)は、メダルの投入を条件に、メインリール駆動源（第１〜第３メインリールモータ161,171,181）により、第１〜第３メインリール(160,170,180)を回転させるためのものである。
【００４６】
（４）第１〜第３ストップスイッチ(90〜92)
第１〜第３ストップスイッチ(90〜92)は、メインリール駆動源（第１〜第３メインリールモータ161,171,181）により回転する第１〜第３メインリール(160,170,180)を個別に停止可能なものである。
（５）遊技制御装置(500)
遊技制御装置(500)は、メインリール駆動源（第１〜第３メインリールモータ161,171,181）、スタートスイッチ(80)及び第１〜第３ストップスイッチ(90〜92)に個々に接続され、遊技を進行させるためのものである。
【００４７】
第２に、スロットマシン(10)には、例えば図１６及び図１７に示すように、次の構成を備える。
（６）サブリール(250)
サブリール(250)は、１個有り、メインリール軸(M)と同一直線上に配置されるサブリール軸(S)を有し、当該サブリール軸(S)を中心に回転可能に保持され、外周に複数種類の図柄が表示されたものである。
【００４８】
（７）サブリール駆動源（サブリールモータ251）
サブリール駆動源（サブリールモータ251）は、遊技制御装置(500)に接続され、サブリール(250)を回転可能なものである。
（８）メイン表示窓(20)
メイン表示窓(20)は、第１〜第３メインリール(160,170,180)及びサブリール(250)のうち、３個が臨むことが可能なものである。
【００４９】
（９）サブ表示窓(440)
サブ表示窓(440)は、１個有り、第１〜第３メインリール(160,170,180)及びサブリール(250)のうち、残る１個が臨むことが可能なものである。
第３に、メイン表示窓(20)の下側には、例えば図１６に示すように、当該メイン表示窓(20)に臨む各リール毎に第１〜第３ストップスイッチ(90〜92)をそれぞれ臨ませる。
【００５０】
第４に、第１〜第３メインリール(160,170,180)は、例えば図１６に示すように、当該第１〜第３メインリール(160,170,180)のうち、２個のメインリールをメイン表示窓(20)に臨ませ、残る１個のメインリールをサブ表示窓(440)に臨ませる。
第５に、サブリール(250)は、例えば図１６に示すように、メイン表示窓(20)に臨ませる。
【００５１】
第６に、サブリール(250)には、例えば図１６に示すように、次の構成を備える。
（１０）上方飾枠(800)
上方飾枠(800)は、メイン表示窓(20)の外側から内部に移動可能であり、当該メイン表示窓(20)に臨むサブリール(250)に表示された図柄の上方に移動可能なものである。
（１１）下方飾枠(810)
下方飾枠(810)は、メイン表示窓(20)の外側から内部に移動可能であり、図柄の下方に移動し、上方飾枠(800)と図柄をはさんで上下に対向するものである。
【００５２】
（１２）飾枠移動機構(820)
飾枠移動機構(820)は、上方飾枠(800)及び下方飾枠(810)がメイン表示窓(20)の外側に位置する待避位置と、上方飾枠(800)及び下方飾枠(810)をメイン表示窓(20)の内部に向かって個別に移動させ、図柄をはさんで上方飾枠(800)と下方飾枠(810)とを上下に対向させる装飾位置とに、上方飾枠(800)及び下方飾枠(810)とを個別に移動するためのものである。
【００５３】
第７に、遊技制御装置(500)には、例えば図１７に示すように、次の構成を備える。
（１３）飾枠移動制御手段(900)
飾枠移動制御手段(900)は、飾枠移動機構(820)により、上方飾枠(800)及び下方飾枠(810)を待避位置から装飾位置に移動するためのものである。
（請求項８）
請求項８に記載の発明は、上記した請求項６又は請求項７に記載の発明の特徴点に加え、次の点を特徴とする。
【００５４】
すなわち、飾枠移動機構(820)は、例えば図１３に示すように、上方飾枠(800)及び下方飾枠(810)を左右方向に移動させることができるようにしている。
（請求項９）
請求項９に記載の発明は、上記した請求項６〜８のいずれか１項に記載の発明の特徴点に加え、次の点を特徴とする。
【００５５】
第１に、上方飾枠(800)と下方飾枠(810)とのいずれか少なくとも一方には、例えば図１２に示すように、飾枠発光源(830)を内蔵する。
第２に、遊技制御装置(500)には、例えば図１４に示すように、次の構成を備える。
（１）飾枠発光制御手段(910)
飾枠発光制御手段(910)は、飾枠発光源(830)を発光させるためのものである。
【発明の効果】
【００５６】
本発明は、以上のように構成されているので、以下に記載されるような効果を奏する。
（請求項１）
請求項１に記載の発明によれば、次のような効果を奏する。
すなわち、請求項１に記載の発明によれば、サブリールに表示された図柄の見え方を変化させることで、メインリールとは異なったサブリールを用いた特有の演出を行うことができる。
【００５７】
すなわち、請求項１に記載の発明によれば、サブリールの図柄の見え方を変化させるためのフィルタを有する移動体を、当該サブリールの前面に配置し、遊技の進行にもとづいて移動体を移動させることで、フィルタの色とサブリールに表示する図柄の色との組み合わせにより、サブリールの図柄の見え方を様々に変化させることができる。
（請求項２）
請求項２に記載の発明によれば、次のような効果を奏する。
【００５８】
すなわち、請求項２に記載の発明によれば、上記した請求項１に記載の発明の効果と同様に、サブリールに表示された図柄の見え方を変化させることで、メインリールとは異なったサブリールを用いた特有の演出を行うことができる。
すなわち、請求項２に記載の発明によれば、上記した請求項１に記載の発明と比較して、サブリールの個数を１個に減少することができる。
（請求項３）
請求項３に記載の発明によれば、上記した請求項１又は請求項２に記載の発明の効果に加え、次のような効果を奏する。
【００５９】
すなわち、請求項３に記載の発明によれば、複数種類のフィルタのうちから、１種類のフィルタを遊技の進行に応じて選択させることができる。
（請求項４）
請求項４に記載の発明によれば、上記した請求項１〜３のいずれか１項に記載の発明の効果に加え、次のような効果を奏する。
【００６０】
すなわち、請求項４に記載の発明によれば、フィルタと同色に着色された着色部分を、サブリールに表示する図柄に設けることで、着色部分の前方にフィルタを移動させたときに、当該着色部分が消えたかのように、遊技者に見せることができる。
（請求項５）
請求項５に記載の発明によれば、上記した請求項１〜４のいずれか１項に記載の発明の効果に加え、次のような効果を奏する。
【００６１】
すなわち、請求項５に記載の発明によれば、図柄を素通しで見せるための切欠部を移動体に設けることで、図柄のありのままの状態を遊技者に見せることができる。
（請求項６）
請求項６に記載の発明によれば、次のような効果を奏する。
すなわち、請求項６に記載の発明によれば、上記した請求項１に記載の発明の効果と同様に、サブリールに表示された図柄の見え方を変化させることで、メインリールとは異なったサブリールを用いた特有の演出を行うことができる。
【００６２】
すなわち、請求項６に記載の発明によれば、メイン表示窓に臨むサブリールに、上下方向に移動可能な上下の飾枠を設けることで、当該上下の飾枠により、サブリールに停止表示された図柄を強調させて、遊技者に見せることができる。
（請求項７）
請求項７に記載の発明によれば、次のような効果を奏する。
【００６３】
すなわち、請求項７に記載の発明によれば、上記した請求項６に記載の発明の効果と同様に、サブリールに表示された図柄の見え方を変化させることで、メインリールとは異なったサブリールを用いた特有の演出を行うことができる。
すなわち、請求項７に記載の発明によれば、上記した請求項６に記載の発明と比較して、サブリールの個数を１個に減少することができる。
（請求項８）
請求項８に記載の発明によれば、上記した請求項６又は請求項７に記載の発明の効果に加え、次のような効果を奏する。
【００６４】
すなわち、請求項８に記載の発明によれば、上下の飾枠を上下方向に加えて、左右方向に移動させることができる。
（請求項９）
請求項９に記載の発明によれば、上記した請求項６〜８のいずれか１項に記載の発明の効果に加え、次のような効果を奏する。
【００６５】
すなわち、請求項９に記載の発明によれば、発光源により上下の飾枠のいずれか少なくとも一方を発光させることができる。
【発明を実施するための最良の形態】
【００６６】
（図面の説明）
図１〜６は、本発明の第１の実施の形態の一例をそれぞれ示すものである。
図１は、メイン・サブ表示窓を説明するための概略正面図、図２はスロットマシンの動作を説明するための概略ブロック図、図３はスロットマシンの概略正面図、図４はサブリールの一部拡大図、図５〜６は移動体の動作を説明するための概略正面図をそれぞれ示すものである。
【００６７】
図７は、本発明の第２の実施の形態の一例を示し、同図はメイン・サブ表示窓を説明するための概略正面図を示すものである。
図８及び図９は、本発明の第３の実施の形態の一例をそれぞれ示すものである。
図８は、メイン・サブ表示窓を説明するための概略正面図、図９はスロットマシンの動作を説明するための概略ブロック図をそれぞれ示すものである。
【００６８】
図１０〜１４は、本発明の第４の実施の形態の一例をそれぞれ示すものである。
図１０は、メイン・サブ表示窓を説明するための概略正面図、図１１〜１３は上下の飾枠の動作を説明するための概略正面図、図１４はスロットマシンの動作を説明するための概略ブロック図をそれぞれ示すものである。
図１５及び図１６は、本発明の第５の実施の形態の一例をそれぞれ示すものである。
【００６９】
図１５は、メイン・サブ表示窓を説明するための概略正面図、図１６はスロットマシンの動作を説明するための概略ブロック図をそれぞれ示すものである。
（スロットマシン10）
図３中、10は、スロットマシンを示すものである。
スロットマシン10の高さの中央には、後述するが、図１及び図３に示すように、１個のメイン表示窓20と、２個の第１、第２サブ表示窓30,40を設けている。
【００７０】
メイン表示窓20及び第１、第２サブ表示窓30,40には、同じく後述するが、図１に示すように、３個の第１〜第３メインリール100,110,120と、２個の第１、第２サブリール200,210を設けている。
メイン表示窓20の上方の中央には、図３に示すように、画像表示装置50を設けている。
画像表示装置50は、画像を表示可能なものであり、例えば液晶ユニットから構成されている。
【００７１】
なお、画像表示装置50として、液晶ユニットを例示したが、これに限定されず、例えばドット・マトリックス等から構成しても良い。
メイン表示窓20の下側には、図３の向かって右側に、メダル投入口60を設けている。
メダル投入口60は、遊技媒体の一例であるメダルを投入するためのものである。
なお、遊技媒体として、メダルを例示したが、これに限定されず、図示しないが、パチンコ機の遊技球や、或いはカードの度数等を用いても良い。
【００７２】
メダル投入口60の図３の向かって左側には、ベットスイッチ70を設けている。ベットスイッチ70は、メダル投入口60から規定枚数（例えば３枚）を超えて内部に投入され、クレジット（貯留）されたクレジットメダルをベットする（賭ける）ためのものである。
なお、ベットスイッチ70の個数は、単数でも複数個でも良い。
ベットスイッチ70の下側には、スタートスイッチ80を設けている。
【００７３】
スタートスイッチ80は、第１〜第３メインリール100,110,120の回転を開始させるためのものである。具体的には、スタートスイッチ80は、レバー状に形成され、レバーを傾けることで操作する。スタートスイッチ80を操作すると、３個の第１〜第３メインリール100,110,120が同時に回転を開始する。このとき、後述するが、２個の第１、第２サブリール200,210も、同時に回転を開始する。
【００７４】
スタートスイッチ80の向かって右隣には、少なくとも３個、例えば３個の第１〜第３ストップスイッチ90〜92を設けている。
３個のストップスイッチ90〜92は、第１〜第３メインリール100,110,120の回転を個別に停止可能なものである。このとき、後述するが、２個の第１、第２サブリール200,210も、対応する第１〜第３ストップスイッチ90〜92の操作にもとづいて、回転を停止する。
【００７５】
なお、ストップスイッチ90〜92の個数として、３個を例示したが、これに限定されず、４個以上設けても良い。
３個のストップスイッチ90〜92の下側には、メダル貯留皿300を設けている。
メダル貯留皿300には、後述する図２のホッパーユニット320から払い出されたメダルが貯留される。
【００７６】
メダル貯留皿300の右側には、１個のスピーカ310が配置されている。スピーカ310は、各種の効果音を発生させるものである。
（メイン表示窓20）
メイン表示窓20は、図１に示すように、第１〜第３メインリール100,110,120及び第１、第２サブリール200,210のうち、３個が臨むことが可能なものである。
（第１、第２サブ表示窓30,40）
第１、第２サブ表示窓30,40は、図１に示すように、２個有り、第１〜第３メインリール100,110,120及び第１、第２サブリール200,210のうち、残る２個が個別に臨むことが可能なものである。
【００７７】
具体的には、２個の第１、第２サブ表示窓30,40は、図１に示すように、メイン表示窓20の左右両側の片側、例えば右側に並べて２個配置されている。
なお、第１、第２サブ表示窓30,40を、メイン表示窓20の右側に並べて２個配置したが、これに限定されず、図示しないが、メイン表示窓20の左側に並べて２個配置しても良いし、或いはメイン表示窓20の左右両側に１個ずつ配置しても良い。
（第１〜第３メインリール100,110,120）
第１〜第３メインリール100,110,120は、図１に示すように、少なくとも３個有り、メインリール軸Ｍを中心に回転可能に保持され、外周に複数種類の図柄が表示されたものである。
【００７８】
なお、第１〜第３メインリール100,110,120の個数として、３個を例示したが、これに限定されず、４個以上としても良い。
第１〜第３メインリール100,110,120には、図２に示すように、メインリール駆動源として、例えば３個の第１〜第３メインリールモータ101,111,121を備える。
第１〜第３メインリールモータ101,111,121は、後述するが、遊技制御装置500に接続され、第１〜第３メインリール100,110,120を個別に回転可能なものである。
【００７９】
なお、メインリール駆動源として、３個の第１〜第３メインリールモータ101,111,121を例示したが、これに限定されず、１個のモータを使用して、３個の第１〜第３メインリール100,110,120を回転させても良い。
また、第１〜第３メインリール100,110,120は、図１に示すように、当該第１〜第３メインリール100,110,120のうち、１個のメインリール、例えば第１メインリール100をメイン表示窓20の向かって左側に臨ませ、残る２個のメインリール、例えば第２、第３メインリール110,120を２個の第１、第２サブ表示窓30,40にそれぞれ臨ませる。
【００８０】
すなわち、第２メインリール110を、第１サブ表示窓30に、第３メインリール120を第２サブ表示窓40にそれぞれ臨ませている。
なお、メイン表示窓20に、第１メインリール100を臨ませたが、これに限定されず、第２、第３メインリール110,120のいずれか一方を臨ませても良い。また、第１サブ表示窓30に、第２メインリール110を臨ませたが、これに限定されず、第３メインリール120を臨ませても良い。さらに、第２サブ表示窓40に、第３メインリール120を臨ませたが、これに限定されず、第２メインリール110を臨ませても良い。
（第１、第２サブリール200,210）
第１、第２サブリール200,210は、図１に示すように、少なくとも２個有り、メインリール軸Ｍと同一直線上に配置されるサブリール軸Ｓを有し、当該サブリール軸Ｓを中心に回転可能に保持され、外周に複数種類の図柄が表示されたものである。
【００８１】
第１、第２サブリール200,210には、図２に示すように、サブリール駆動源として、例えば２個の第１、第２サブリールモータ201,211を備える。
第１、第２サブリールモータ201,211は、後述するが、遊技制御装置500に接続され、第１、第２サブリール200,210を個別に回転可能なものである。
なお、サブリール駆動源として、２個の第１、第２サブリールモータ201,211を例示したが、これに限定されず、１個のモータを使用して、２個の第１、第２サブリール200,210を回転させても良い。
【００８２】
また、第１、第２サブリール200,210は、図１に示すように、メイン表示窓20の中央、並びに向かって右側にそれぞれ臨ませる。
一方、第１、第２サブリール200,210の少なくとも１個のサブリール、例えば第２サブリール210には、図１及び図２に示すように、次のパーツを備える。
なお、次の（１）〜（２）の説明については、後述する。
【００８３】
（１）移動体400
（２）移動体移動機構410
なお、第２サブリール210のパーツは、上記した（１）〜（２）に限定されない。
（移動体400）
移動体400は、図１に示すように、異なる色に着色された複数種類、６種類のフィルタ401〜406を有するものである。
【００８４】
なお、フィルタ401〜406の種類として、６種類を例示したが、これに限定されず、１種類、２〜５種類、或いは７種類以上としても良い。
移動体400は、円盤形に形成され、その中心を回転軸として回転可能に支持されている。移動体400の周囲には、計６個のフィルタ401〜406を等間隔に配置している。
各フィルタ401〜406は、円形に形成され、その直径を第２サブリール210に表示された図柄220,230（図４参照）の外形より一回り大きく設定している。
【００８５】
６種類のフィルタ401〜406に着色された色は、次の通りである。
（１）第１フィルタ401（透明）
（２）第２フィルタ402（赤色）
（３）第３フィルタ403（青色）
（４）第４フィルタ404（緑色）
（５）第５フィルタ405（黄色）
（６）第６フィルタ406（白色）
なお、フィルタ401〜406の色は、上記した（１）〜（６）に限定されない。
【００８６】
一方、フィルタ401〜406を通して見る図柄、すなわち第２サブリール210に表示された図柄220,230には、図４に示すように、当該フィルタ401〜406と同色に着色された着色部分を有している。
すなわち、図柄220,230の構造、色は、次の通りである。
なお、図柄220,230の構造、色は、次の（７）及び（８）に限定されない。
【００８７】
（７）第１図柄220
第１図柄220は、第２サブリール210の図４において向かって左側に位置し、数字の「７」の文字を表示している。また、第１図柄220は、青色の第３フィルタ403と同色の青色に着色され、いわゆる「青７」に相当する。
青色の第３フィルタ403が、同色の第１図柄220上に位置すると、図６に示すように、「青７」である第１図柄220が見えなくなる。
【００８８】
（８）第２図柄230
第２図柄230は、第２サブリール210の図４において向かって右側に位置し、数字の「７」の文字を表示している。また、第２図柄230は、赤色の第２フィルタ402と同色の赤色に着色され、いわゆる「赤７」に相当する。
赤色の第２フィルタ402が、同色の第２図柄230上に位置すると、図５に示すように、「赤７」である第２図柄230が消えて見え、「青７」である第１図柄220のみが見える。
【００８９】
これに対し、青色の第３フィルタ403が、第１図柄220及び第２図柄230上に位置すると、図６に示すように、同色の「青７」である第１図柄220が消えて見え、「赤７」である第２図柄230のみが見える。
（移動体移動機構410）
移動体移動機構410は、フィルタ401〜406をメイン表示窓20と当該メイン表示窓20に臨む第２サブリール210に表示された図柄との間に位置させた使用位置と、当該フィルタ401〜406をメイン表示窓20から離隔させた離隔位置との間で、移動体400を移動するためのものである。
【００９０】
具体的には、移動体移動機構410は、円盤形の移動体400の中心の回転軸を回転するモータから構成され、図２に示すように、後述する遊技制御装置500のサブ制御手段700の出力段に接続されている。
（遊技制御装置500）
つぎに、図２を用いて、遊技制御装置500について説明する。
【００９１】
遊技制御装置500は、遊技制御手段の一例であり、スロットマシン10の内部に設けられ、遊技の進行を制御するためのものである。
なお、遊技制御手段として、遊技制御装置500を例示したが、これに限定されない。
具体的には、遊技制御装置500は、図２に示すように、大別すると、次の２つの手段を備える。
【００９２】
なお、次の（１）〜（２）の手段の説明については、後述する。
（１）メイン制御手段600
（２）サブ制御手段700
なお、遊技制御装置500の手段は、上記した（１）〜（２）に限定されない。
（メイン制御手段600）
つぎに、図２を用いて、メイン制御手段600について説明する。
【００９３】
メイン制御手段600は、遊技の進行を制御するためのものである。
具体的には、メイン制御手段600は、コンピュータであって、図示しないが、例えばＣＰＵを中心に構成され、ＲＯＭやＲＡＭ等の記録媒体、Ｉ／Ｏ等を備えている。
また、記録媒体は、ＲＯＭやＲＡＭに限定されず、そのほか電気的・磁気的・光学的なメモリーやディスク等でも良い。
【００９４】
メイン制御手段600のＣＰＵ（図示せず）は、記録媒体、例えばＲＯＭに記録されたプログラムを読み込むことで、図２に示すように、次の手段として機能する。
なお、次の（１）〜（６）の手段の説明については、後述する。
（１）役抽選手段610
（２）メインリール制御手段620
（３）一般遊技制御手段630
（４）特別遊技制御手段640
（５）利益付与手段650
（６）信号送信手段660
なお、メイン制御手段600の手段は、上記した（１）〜（６）に限定されない。
（メイン制御手段600の入力段）
つぎに、図２を用いて、メイン制御手段600の入力段について説明する。
【００９５】
メイン制御手段600の入力段には、図２に示すように、次のパーツがそれぞれ接続されている。
なお、メイン制御手段600の入力段に接続されるパーツは、次の（１）〜（４）に限定されない。
（１）メダルセンサー61
メダルセンサー61は、メダル投入口60の内部に設けられ、メダル投入口60に投入されたメダルを検出するためのものである。
【００９６】
（２）ベットスイッチ70
（３）スタートスイッチ80
（４）第１〜第３ストップスイッチ90〜92
（メイン制御手段600の出力段）
つぎに、図２を用いて、メイン制御手段600の出力段について説明する。
【００９７】
メイン制御手段600の出力段には、図２に示すように、次のパーツがそれぞれ接続されている。
なお、メイン制御手段600の出力段に接続されるパーツは、次の（１）〜（３）に限定されない。
（１）第１〜第３メインリールモータ101,111,121
（２）ホッパーユニット320
ホッパーユニット320は、スロットマシン10の内部に設けられている。
【００９８】
ホッパーユニット320は、第１〜第３メインリール100,110,120の停止図柄が、予め設定された図柄の組み合わせに一致する場合に、遊技者に所定枚数のメダルを払い出すためのものである。
（３）サブ制御手段700
（サブ制御手段700）
サブ制御手段700は、図２に示すように、メイン制御手段600に接続され、メイン制御手段600から一方向に送信される信号、例えばコマンドやデータ等にもとづいて、各種の演出を制御するためのものである。
【００９９】
具体的には、サブ制御手段700は、コンピュータであって、図示しないが、例えばＣＰＵを中心に構成され、ＲＯＭやＲＡＭ等の記録媒体、Ｉ／Ｏ等を備えている。
なお、サブ制御手段700のＣＰＵの数は、１個に限定されず、２個以上のＣＰＵを用いても良い。
また、記録媒体は、ＲＯＭやＲＡＭに限定されず、そのほか電気的・磁気的・光学的なメモリーやディスク等でも良い。
【０１００】
上記サブ制御手段700のＣＰＵ（図示せず）は、記録媒体、例えばＲＯＭに記録されたプログラムを読み込むことで、図２に示すように、大別すると、次の手段として機能する。
なお、次の（１）〜（５）の手段の説明については、後述する。
（１）信号受信手段710
（２）サブリール制御手段720
（３）画像制御手段730
（４）効果音発生手段740
（５）移動体移動制御手段750
なお、サブ制御手段700の手段は、上記した（１）〜（５）に限定されない。
（サブ制御手段700の入力段）
つぎに、図２を用いて、サブ制御手段700の入力段について説明する。
【０１０１】
サブ制御手段700の入力段には、図２に示すように、次のパーツが接続されている。
（１）メイン制御手段600
なお、サブ制御手段700の入力段に接続されるパーツは、上記した（１）に限定されない。
（サブ制御手段700の出力段）
つぎに、図１を用いて、サブ制御手段700の出力段について説明する。
【０１０２】
サブ制御手段700の出力段には、図２に示すように、次のパーツがそれぞれ接続されている。
（１）第１、第２サブリールモータ201,211
（２）画像表示装置50
（３）スピーカ310
（４）移動体移動機構410
なお、サブ制御手段700の出力段に接続されるパーツは、上記した（１）〜（４）に限定されない。
（役抽選手段610）
役抽選手段610は、役の当否を抽選により決定するものである。
【０１０３】
まず、役の当否には、次の種類がある。
（１）役の当選
（２）ハズレ
役には、次の種類がある。
なお、次の（３）〜（５）の役の説明については、後述する。
【０１０４】
また、役は、役のうち１個だけ当選する場合のほか、複数の役が同時に２以上、当選する場合もあり、役抽選手段610はいわゆるグループ抽選が可能となっている。
（３）小役
（４）再遊技（リプレイ）
（５）ボーナス
なお、役の種類は、上記した（３）〜（５）に限定されない。
（小役）
小役は、予め設定された小役図柄が揃って入賞することを条件に、所定枚数のメダルを払い出すための役である。
（再遊技）
再遊技は、いわゆるリプレイとも呼ばれ、予め設定されたリプレイ図柄が揃うことを条件に、メダルを投入すること無しに次回の遊技を行えるという役である。
（ボーナス）
ボーナスは、特別遊技への移行役であり、特定役や、前述したようにそれ自体を特別遊技とも呼ぶ。
【０１０５】
特別遊技は、一般遊技より遊技者に有利な遊技である。
なお、特別遊技として、ボーナスを例示したが、これに限定されない。また、特定役として、ボーナスを例示したが、これに限定されず、特定の小役等でも良い。
具体的には、ボーナスには、次の種類がある。
なお、ボーナスの種類は、次の（１）〜（３）に限定されない。
【０１０６】
（１）ＢＢ移行役
ＢＢ移行役は、ＢＢへの移行役である。
すなわち、ＢＢ図柄を揃えることを条件に、一般遊技から、後述する特別遊技制御手段640による特別遊技であるＢＢへ移行させるための役である。
なお、ＢＢ図柄の入賞時に、メダルを払い出さなくとも良いし、或いはメダルを１枚払い出すようにしても良い。
【０１０７】
ＢＢの開始後、遊技者がメダルを３枚投入すると仮定すると、トータルで約２８８枚のメダルが獲得可能であり、例えば３４５枚を超える払い出しで終了する。
（２）ＭＢ移行役
ＭＢ移行役は、ＭＢへの移行役である。
ＭＢ図柄を揃えることを条件に、一般遊技から、後述する特別遊技制御手段640による特別遊技であるＭＢへ移行させるための役である。
【０１０８】
なお、ＭＢ図柄の入賞時に、メダルを払い出さなくとも良いし、或いはメダルを１枚払い出すようにしても良い。
ＭＢの開始後、遊技者がメダルを３枚投入すると仮定すると、トータルで約１９２枚のメダルが獲得可能であり、例えば２５３枚を超える払い出しで終了する。なお、ＭＢは、ＢＢに比較して、遊技者が獲得できるメダルの枚数が低く設定されている。
【０１０９】
（３）ＲＢ移行役
ＲＢ移行役は、ＲＢへの移行役である。
ＲＢの開始後、遊技者がメダルを３枚投入すると仮定すると、トータルで約９６枚のメダルが獲得可能である。ＲＢは、最高１２回のゲームか、８回の入賞か、いずれか先に達成された条件により終了する。なお、ＲＢは、ＭＢに比較して、遊技者が獲得できるメダルの枚数が低く設定されている。
（メインリール制御手段620）
メインリール制御手段620は、スタートスイッチ80の操作にもとづいて、メインリール駆動源である３個のメインリールモータ101,111,121を駆動し、３個の第１〜第３メインリール100,110,120の回転を開始させ、第１ストップスイッチ90の操作にもとづいて、当該第１ストップスイッチ90が対応する第１メインリール100を個別に停止させ、第２ストップスイッチ91の操作にもとづいて、当該第２ストップスイッチ91が対応する第２メインリール110を個別に停止させ、第３ストップスイッチ92の操作にもとづいて、当該第３ストップスイッチ92が対応する第３メインリール120を個別に停止させるためのものである。
【０１１０】
具体的には、メインリール制御手段620は、役抽選手段610による抽選により決定した遊技結果、及び第１〜第３ストップスイッチ90〜92の操作にもとづいて、当該第１〜第３ストップスイッチ90〜92に対応する第１〜第３リールモータ101,111,121の停止制御を行うためのものである。
（一般遊技制御手段630）
一般遊技制御手段630は、一般遊技を行わせるためのものである。
（特別遊技制御手段640）
特別遊技制御手段640は、役抽選手段610より当選した役のうち、予め設定された特定役（例えばＢＢ移行役）に当選したことを契機（例えばＢＢ図柄の入賞）に、一般遊技より遊技者に有利な特別遊技（例えばＢＢ）を実行するためのものである。
【０１１１】
なお、特定役として、ＢＢの移行役を例示したが、これに限定されず、パチンコ機の大当たりでも良い。また、特別遊技として、ＢＢを例示したが、パチンコ機の大当たり遊技でも良い。
（利益付与手段650）
利益付与手段650は、メイン表示窓20に停止表示された第１メインリール100、第１、第２サブ表示窓30,40にそれぞれ停止表示された第２、第３メインリール110,120の図柄の組み合わせが、予め設定された所定の図柄の組み合わせに一致している場合に、予め設定された所定の枚数のメダルを払い出すためのものである。
【０１１２】
メダルの払い出しは、ホッパーユニット320を駆動させることにより、メダルを実際に払い出しても良いし、或いはクレジットメダル枚数を増加させるようにしても良い。
（信号送信手段660）
信号送信手段660は、例えばコマンドやデータ等の信号である遊技情報をサブ制御手段700に送信するためのものである。
（信号受信手段710）
サブ制御手段700の信号受信手段710は、メイン制御手段600の信号送信手段660から送信された信号を受信するためのものである。
（サブリール制御手段720）
サブリール制御手段720は、スタートスイッチ80の操作にもとづいて、サブリール駆動源であるサブリールモータ201,211を駆動し、第１、第２サブリール200,210の回転を開始させ、各第１〜第２サブリール200,210の下側にそれぞれ位置する各第２、第３ストップスイッチ91,92の操作にもとづいて、当該第２、第３ストップスイッチ91,92の直上に位置する第１、第２サブリール200,210を個別に停止させるためのものである。
【０１１３】
具体的には、第２ストップスイッチ91の操作にもとづいて、当該第２ストップスイッチ91の直上に位置する第１サブリール210が停止する。第３ストップスイッチ92の操作にもとづいて、当該第３ストップスイッチ92の直上に位置する第２サブリール210が停止する。
また、サブリール制御手段720は、第１〜第３メインリール100,110,120に比較して、第１、第２サブリール200,210を遅れて停止させるようにしている。
（画像制御手段730）
画像制御手段730は、信号受信手段710が受信した信号にもとづいて、図示しないが、各種の演出画像を画像表示装置50に表示させるためのものである。
（効果音発生手段740）
効果音発生手段740は、信号受信手段710が受信した信号にもとづいて、各種の効果音をスピーカ310から出力させるためのものである。
（移動体移動制御手段750）
移動体移動制御手段750は、移動体移動機構410により、フィルタ401〜406を離隔位置から使用位置に移動するためのものである。
【０１１４】
具体的には、移動体移動制御手段750は、遊技の進行に応じて、複数種類のフィルタ401〜406のうちから、１種類のフィルタ401〜406を選択し、当該フィルタ401〜406を離隔位置から使用位置に移動するようにしている。
（遊技の説明）
つぎに、上記した構成を備えるスロットマシン10による遊技について説明する。
【０１１５】
まず、メダルの投入を条件に、スタートスイッチ80を操作すると、第１〜第３メインリールモータ101,111,121の駆動が開始され、３個の第１〜第３メインリール100,110,120の回転が開始される。
第１〜第３メインリールモータ101,111,121の駆動は、図２のメイン制御手段600のメインリール制御手段620により行われる。
【０１１６】
同時に、スタートスイッチ80のスタート信号は、図２のメイン制御手段600の信号送信手段660を介して、サブ制御手段700の信号受信手段710に送信される。
このため、図２のサブ制御手段700のサブリール制御手段720により、サブリールモータ201,211の駆動が開始され、２個の第１、第２サブリール200,210の回転が開始される。
その結果、３個の第１〜第３メインリール100,110,120、２個の第１、第２サブリール200,210の計５個の回転が開始する。
【０１１７】
なお、本実施の形態では、第１、第２サブリール200,210を、第１〜第３メインリール100,110,120と同時に回転させたが、これに限定されず、第１、第２サブリール200,210を遅れて回転させても良い。また、２個の第１、第２サブリール200,210を同時に開始させたが、時間差を持たせて順番に回転を開始させても良い。
つぎに、３個の第１〜第３ストップスイッチ90〜92のいずれかを操作すると、対応する第１〜第３メインリール100,110,120の回転が停止する。
【０１１８】
例えば、図１の向かって左側に位置する第１ストップスイッチ90を操作すると、直上に位置する第１メインリール100の回転が停止する。
すなわち、図２のメイン制御手段600のメインリール制御手段620が、第１メインリール100に対応する第１メインリールモータ101の駆動を停止させることで、当該第１メインリール100の回転が停止する。
【０１１９】
つぎに、図１の中央に位置する第２ストップスイッチ91を操作すると、第１サブ表示窓30に臨む第２メインリール110の回転が停止する。
すなわち、図２のメイン制御手段600のメインリール制御手段620が、第２メインリール110に対応する第２リールモータ111の駆動を停止させることで、当該第２メインリール110の回転が停止する。
【０１２０】
同時に、第２ストップスイッチ91の第２ストップ信号は、図２のメイン制御手段600の信号送信手段660を介して、サブ制御手段700の信号受信手段710に送信される。
このため、図２のサブ制御手段700のサブリール制御手段720により、中央の第２ストップスイッチ91の直上に位置する第１サブリール200に対応する第１サブリールモータ201の駆動を停止させることで、当該第１サブリール200の回転が停止する。
【０１２１】
このとき、サブリール制御手段720は、第１サブリール200を遅れて停止させる。
このため、中央の第２ストップスイッチ91を操作すると、第１サブ表示窓30に臨む第２メインリール110が停止し、その後、少し遅れて、中央の第２ストップスイッチ91の直上に位置し、メイン表示窓20に臨む第１サブリール200が停止する。
最後に、図１の向かって右側に位置する第３ストップスイッチ92を操作すると、第２サブ表示窓40に臨む第３メインリール120の回転が停止する。
【０１２２】
すなわち、図２のメイン制御手段600のメインリール制御手段620が、第３メインリール120に対応する第３リールモータ121の駆動を停止させることで、当該第３メインリール120の回転が停止する。
同時に、第３ストップスイッチ92の第３ストップ信号は、図２のメイン制御手段600の信号送信手段660を介して、サブ制御手段700の信号受信手段710に送信される。
【０１２３】
このため、図２のサブ制御手段700のサブリール制御手段720により、右側の第３ストップスイッチ92の直上に位置する第２サブリール210に対応する第２サブリールモータ221の駆動を停止させることで、当該第２サブリール210の回転が停止する。
このとき、サブリール制御手段720は、第２サブリール210を遅れて停止させる。
このため、右側の第３ストップスイッチ92を操作すると、第２サブ表示窓40に臨む第３メインリール120が停止し、その後、右側の第３ストップスイッチ92の直上に位置し、メイン表示窓20に臨む第２サブリール210が少し遅れて停止する。
【０１２４】
一方、第２サブリール210が停止する直前に、図２のサブ制御手段700の移動体移動制御手段750は、メイン制御手段600の役抽選手段610の抽選結果に応じて、複数種類のフィルタ401〜406のうちから、１種類のフィルタ401〜406を選択し、当該フィルタ401〜406を離隔位置から使用位置に移動するようにしている。
例えば、透明の第１フィルタ401が、図１に示すように、メイン表示窓20の中段に停止した状態で、移動体移動制御手段750により、赤色の第２フィルタ402が選択されたものと仮定する。
【０１２５】
移動体移動制御手段750は、移動体移動機構410を駆動して、円盤形の移動体400を「６０度」回転させる。
移動体400が「６０度」回転すると、図５に示すように、赤色の第２フィルタ402がメイン表示窓20の中段に停止する。
このとき、第２サブリール210の第１図柄220及び第２図柄230が、図５に示すように、中段に停止すると、赤色の第２フィルタ402と第１図柄220及び第２図柄230とが前後に重なり合う。
【０１２６】
赤色の第２フィルタ402が同色の第２図柄230上に位置するので、図５に示すように、「赤７」である第２図柄230が消えて見え、「青７」である第１図柄220のみが見える。
なお、移動体400を、第２サブリール210が停止する直前に回転させたが、これに限定されず、第２サブリール210の回転中に、移動体400も回転させておき、第２サブリール210の停止の直前、同時、直後に移動体400を停止させたり、或いは第２サブリール210の停止後に、移動体400の回転を開始させ、その後、停止させるようにしても良い。
【０１２７】
一方、移動体移動制御手段750により、青色の第３フィルタ402が選択されたものと仮定する。
移動体移動制御手段750は、移動体移動機構410を駆動して、円盤形の移動体400を「１２０度」回転させる。
移動体400が「１２０度」回転すると、図６に示すように、青色の第３フィルタ403がメイン表示窓20の中段に停止する。
【０１２８】
このとき、第２サブリール210の第１図柄220及び第２図柄230が、図６に示すように、中段に停止すると、青色の第３フィルタ403と第１図柄220及び第２図柄230とが前後に重なり合う。
青色の第３フィルタ403が第１図柄220及び第２図柄230上に位置するので、図６に示すように、同色の「青７」である第１図柄220が消えて見え、「赤７」である第２図柄230のみが見える。
【０１２９】
その結果、３個の第１〜第３ストップスイッチ90〜92を全て操作すると、３個の第１〜第３メインリール100,110,120、２個の第１、第２サブリール200,210の計５個の回転が全て停止する。
（第２の実施の形態）
つぎに、図７を用いて、本発明の第２の実施の形態の一例について説明する。
【０１３０】
本実施の形態の特徴は、図７に示すように、移動体400に凹状の切欠部420を設けた点である。
すなわち、移動体400には、図７に示すように、図柄を素通しで見せるために、表裏面に貫通した「Ｕ字形」乃至は「Ｖ字形」の切欠部420を設けている。
なお、本実施の形態の説明においては、先に図１〜６を用いて説明した第１の実施の形態と同一の構成部分については同一の符号を付して説明を省略する。
【０１３１】
本実施の形態によれば、フィルター401〜405を通さずに、図柄を直接、遊技者に見せることができる。
（第３の実施の形態）
つぎに、図８及び図９を用いて、本発明の第３の実施の形態の一例について説明する。
本実施の形態の特徴は、図８に示すように、サブ表示窓430の個数を、２個から１個に減少させた点である。
【０１３２】
その結果、本実施の形態によれば、サブリール240、及びサブリール駆動源であるサブリールモータ241の個数を、２個から１個に減少できる。
なお、本実施の形態の説明においては、先に図１〜６を用いて説明した第１の実施の形態と同一の構成部分については同一の符号を付して説明を省略する。
（第１〜第３メインリール130,140,150）
第１〜第３メインリール130,140,150のうち、図８に示すように、２個のメインリールをそれぞれ臨ませ、残る１個のメインリールをサブ表示窓430に臨ませる。
【０１３３】
具体的には、第１メインリール130を、メイン表示窓20の図８の向かって左側に、第２メインリール130をメイン表示窓20の中央に、第３メインリール150をサブ表示窓430にそれぞれ臨ませている。
また、メインリール駆動源である第１〜第３メインリールモータ131,141,151は、図９に示すように、メイン制御手段600の出力段に接続している。
（サブリール240）
サブリール240は、図８に示すように、メイン表示窓20に臨ませる。
【０１３４】
具体的には、サブリール240を、メイン表示窓20の図８の向かって右側に臨ませている。
サブリール駆動源であるサブリールモータ241は、図９に示すように、サブ制御手段700の出力段に接続している。
（第４の実施の形態）
つぎに、図１０〜１４を用いて、本発明の第４の実施の形態の一例について説明する。
【０１３５】
本実施の形態の第１の特徴は、先に図１〜６を用いて説明した第１の実施の形態において用いた移動体400に代えて、図１０に示すように、移動可能な上方飾枠800及び下方飾枠810を用いた点である。
本実施の形態の第２の特徴は、図１２に示すように、上方飾枠800及び下方飾枠810を発光させることができるようにした点である。
【０１３６】
具体的には、第１、第２サブリール200,210の少なくとも１個のサブリール、例えば第１サブリール200には、図１０及び図１４に示すように、次のパーツを備える。
なお、次の（１）〜（３）の説明については、後述する。
（１）上方飾枠800
（２）下方飾枠810
（３）飾枠移動機構820
なお、第１サブリール200のパーツは、上記した（１）〜（３）に限定されない。
【０１３７】
また、遊技制御装置500のサブ制御手段700には、図１４に示すように、次の手段を備える。
なお、次の（４）〜（５）の説明については、後述する。
（４）飾枠移動制御手段900
（５）飾枠発光制御手段910
なお、サブ制御手段700の手段は、上記した（４）〜（５）に限定されない。
【０１３８】
また、本実施の形態の説明においては、先に図１〜６を用いて説明した第１の実施の形態と同一の構成部分については同一の符号を付して説明を省略する。
（上方飾枠800、下方飾枠810）
上方飾枠800は、図１０及び図１１に示すように、上方飾枠800メイン表示窓20の外側から内部に移動可能であり、当該メイン表示窓20に臨む１個の第１サブリール200に表示された図柄の上方に移動可能なものである。
【０１３９】
下方飾枠810は、メイン表示窓20の外側から内部に移動可能であり、図柄の下方に移動し、上方飾枠800と図柄をはさんで上下に対向するものである。
具体的には、上方飾枠800及び下方飾枠810は、図１０及び図１１に示すように、図柄をはさんで上下に対向するカタカナの「コ」の字形に形成されている。上方飾枠800及び下方飾枠810は、上下方向に移動可能に支持されるとともに、図１３に示すように、左右方向にも移動可能に支持され、第２サブリール210にも移動可能に構成されている。また、上下方向の動きと、左右方向との動きとを組み合わせることで、図示しないが、上方飾枠800及び下方飾枠810は、斜め方向にも移動可能となっている。
【０１４０】
なお、上方飾枠800及び下方飾枠810の形状として、カタカナの「コ」の字形を例示したが、これに限定されない。
上方飾枠800と下方飾枠810とのいずれか少なくとも一方、例えば上方飾枠800と下方飾枠810には、図１２に示すように、飾枠発光源830をそれぞれ内蔵する。
飾枠発光源830は、例えばＬＥＤ等が使用され、前面に「ｃｈａｎｃｅ」の文字を表示している。「ｃｈａｎｃｅ」の文字は、図１０に示すように、飾枠発光源830の消灯状態では見えず、図１３に示すように、点灯時にのみ見られるようにしている。
【０１４１】
なお、飾枠発光源830として、ＬＥＤを例示したが、これに限定されず、電球や、或いはバックライト付きの液晶等を利用しても良い。また、上方飾枠800と下方飾枠810の前面に、「ｃｈａｎｃｅ」の文字を表示したが、これに限定されず、絵、模様、記号等を表示しても良い。
（飾枠移動機構820）
飾枠移動機構820は、上方飾枠800及び下方飾枠810がメイン表示窓20の外側に位置する待避位置（図１０参照）と、上方飾枠800及び下方飾枠810をメイン表示窓20の内部に向かって個別に移動させ、図柄をはさんで上方飾枠800と下方飾枠810とを上下に対向させる装飾位置（図１１参照）とに、上方飾枠800及び下方飾枠810とを個別に移動するためのものである。
【０１４２】
また、飾枠移動機構820は、図１３に示すように、上方飾枠800及び下方飾枠810を左右方向に移動させることができるようにしている。
（飾枠移動制御手段900）
飾枠移動制御手段900は、飾枠移動機構820により、上方飾枠800及び下方飾枠810を待避位置（図１０参照）から装飾位置（図１１参照）に移動するためのものである。
（飾枠発光制御手段910）
飾枠発光制御手段910は、飾枠発光源830を発光させるためのものである。
（遊技の説明）
つぎに、上記した構成を備えるスロットマシン10による遊技について説明する。
【０１４３】
まず、メダルの投入を条件に、スタートスイッチ80を操作すると、第１〜第３メインリールモータ101,111,121の駆動が開始され、３個の第１〜第３メインリール100,110,120の回転が開始される。
同時に、２個の第１、第２サブリール200,210の回転が開始される。
その結果、３個の第１〜第３メインリール100,110,120、２個の第１、第２サブリール200,210の計５個の回転が開始する。
【０１４４】
なお、本実施の形態では、第１、第２サブリール200,210を、第１〜第３メインリール100,110,120と同時に回転させたが、これに限定されず、第１、第２サブリール200,210を遅れて回転させても良い。また、２個の第１、第２サブリール200,210を同時に開始させたが、時間差を持たせて順番に回転を開始させても良い。
つぎに、３個の第１〜第３ストップスイッチ90〜92のいずれかを操作すると、対応する第１〜第３メインリール100,110,120の回転が停止する。
【０１４５】
例えば、図１０の向かって左側に位置する第１ストップスイッチ90を操作すると、直上に位置する第１メインリール100の回転が停止する。
つぎに、図１０の中央に位置する第２ストップスイッチ91を操作すると、第１サブ表示窓30に臨む第２メインリール110の回転が停止する。
同時に、中央の第２ストップスイッチ91の直上に位置する第１サブリール200の回転が停止する。
【０１４６】
このとき、図１４のサブリール制御手段720は、第１サブリール200を遅れて停止させる。
このため、中央の第２ストップスイッチ91を操作すると、第１サブ表示窓30に臨む第２メインリール110が停止し、その後、少し遅れて、中央の第２ストップスイッチ91の直上に位置し、メイン表示窓20に臨む第１サブリール200が停止する。
【０１４７】
一方、第１サブリール200が停止する直前に、図１４のサブ制御手段700の飾枠移動制御手段900は、メイン制御手段600の役抽選手段610の抽選結果に応じて、飾枠移動機構820により、上方飾枠800及び下方飾枠810を、図１０に示すように、上下方向に互いに離れた待避位置から、図１１に示すように、互いに接近した装飾位置に移動する。
その結果、上方飾枠800及び下方飾枠810の間隔内に、図１１に示すように、第１サブリール200の中央の図柄が強調された状態で見えるようになる。
【０１４８】
なお、上方飾枠800及び下方飾枠810を、第１サブリール200が停止する直前に移動させたが、これに限定されず、第１サブリール200の回転中に、上方飾枠800及び下方飾枠810の移動を開始させておき、第１サブリール200の停止の直前、同時、直後に装飾位置に停止させたり、或いは第１サブリール200の停止後に、上方飾枠800及び下方飾枠810の移動を開始させ、その後、装飾位置に停止させるようにしても良い。
【０１４９】
また、図１４のサブ制御手段700の飾枠発光制御手段910は、メイン制御手段600の役抽選手段610の抽選結果に応じて、図１２に示すように、飾枠発光源830を発光させる。
なお、飾枠発光源830を、上方飾枠800及び下方飾枠810が装飾位置に停止した後、発光させるようにしたが、これに限定されず、上方飾枠800及び下方飾枠810の移動を開始する前に先に点灯させておいたり、或いは移動中に点灯させておいても良い。
【０１５０】
最後に、図１０の向かって右側に位置する第３ストップスイッチ92を操作すると、第２サブ表示窓40に臨む第３メインリール120の回転が停止する。
すなわち、図２のメイン制御手段600のメインリール制御手段620が、第３メインリール120に対応する第３リールモータ121の駆動を停止させることで、当該第３メインリール120の回転が停止する。
【０１５１】
同時に、右側の第３ストップスイッチ92の直上に位置する第２サブリール210に対応する第２サブリールモータ221の駆動が停止する。
このとき、図１４のサブリール制御手段720は、第２サブリール210を遅れて停止させる。
このため、右側の第３ストップスイッチ92を操作すると、第２サブ表示窓40に臨む第３メインリール120が停止し、その後、右側の第３ストップスイッチ92の直上に位置し、メイン表示窓20に臨む第２サブリール210が少し遅れて停止する。
【０１５２】
一方、第２サブリール210が停止する直前に、図１４のサブ制御手段700の飾枠移動制御手段900は、メイン制御手段600の役抽選手段610の抽選結果に応じて、飾枠移動機構820により、上方飾枠800及び下方飾枠810を、図１０に示すように、上下方向に互いに離れた待避位置から、図１３に示すように、互いに接近させながら、向かって右側の装飾位置に移動する。
【０１５３】
なお、このときに、図示しないが、飾枠発光源830を発光させても良い。
その結果、３個の第１〜第３ストップスイッチ90〜92を全て操作すると、３個の第１〜第３メインリール100,110,120、２個の第１、第２サブリール200,210の計５個の回転が全て停止する。
（第５の実施の形態）
つぎに、図１５及び図１６を用いて、本発明の第５の実施の形態の一例について説明する。
【０１５４】
本実施の形態の特徴は、図１５に示すように、サブ表示窓440の個数を、２個から１個に減少させた点である。
その結果、本実施の形態によれば、サブリール250、及びサブリール駆動源であるサブリールモータ251の個数を、２個から１個に減少できる。
なお、本実施の形態の説明においては、先に図１〜６を用いて説明した第１の実施の形態と同一の構成部分については同一の符号を付して説明を省略する。
（第１〜第３メインリール160,170,180）
第１〜第３メインリール160,170,180のうち、図１５に示すように、２個のメインリールをそれぞれ臨ませ、残る１個のメインリールをサブ表示窓440に臨ませる。
【０１５５】
具体的には、第１メインリール160を、メイン表示窓20の図１５の向かって左側に、第３メインリール180をメイン表示窓20の右側に、残る第２メインリール170をサブ表示窓440にそれぞれ臨ませている。
また、メインリール駆動源である第１〜第３メインリールモータ161,171,181は、図１６に示すように、メイン制御手段600の出力段に接続している。
（サブリール250）
サブリール250は、図１５に示すように、メイン表示窓20に臨ませる。
【０１５６】
具体的には、サブリール250を、図１５に示すように、メイン表示窓20の中央に臨ませている。
サブリール駆動源であるサブリールモータ251は、図１６に示すように、サブ制御手段700の出力段に接続している。
【図面の簡単な説明】
【０１５７】
【図１】本発明の第１の実施の形態の一例を示し、同図はメイン・サブ表示窓を説明するための概略正面図である。
【図２】スロットマシンの動作を説明するための概略ブロック図である。
【図３】スロットマシンの概略正面図である。
【図４】サブリールの一部拡大図である。
【図５】移動体の動作を説明するための概略正面図である。
【図６】図５に対応し、移動体を回転した状態を説明するための概略正面図である。
【図７】本発明の第２の実施の形態の一例を示し、同図はメイン・サブ表示窓を説明するための概略正面図である。
【図８】本発明の第３の実施の形態の一例を示し、同図はメイン・サブ表示窓を説明するための概略正面図である。
【図９】スロットマシンの動作を説明するための概略ブロック図である。
【図１０】本発明の第４の実施の形態の一例を示し、同図はメイン・サブ表示窓を説明するための概略正面図である。
【図１１】上下の飾枠の装飾位置を説明するための概略正面図である。
【図１２】図１１に対応し、上下の飾枠を発光させた状態を説明するための概略正面図である。
【図１３】図１１に対応し、上下の飾枠を左右方向に移動した状態を説明するための概略正面図である。
【図１４】スロットマシンの動作を説明するための概略ブロック図である。
【図１５】本発明の第５の実施の形態の一例を示し、同図はメイン・サブ表示窓を説明するための概略正面図である。
【図１６】スロットマシンの動作を説明するための概略ブロック図である。
【符号の説明】
【０１５８】
（第１の実施の形態）
10  スロットマシン
20  メイン表示窓              30,40  第１、第２サブ表示窓
50  画像表示装置
60  メダル投入口              61  メダルセンサー
70  ベットスイッチ
80  スタートスイッチ          90〜92  第１〜第３ストップスイッチ
100,110,120  第１〜第３メインリール
101,111,121  第１〜第３メインリールモータ（メインリール駆動源）
Ｍ  メインリール軸
200,210  第１、第２サブリール
201,211  第１、第２サブリールモータ（サブリール駆動源）
Ｓ  サブリール軸             220,230  図柄
300  メダル貯留皿             310  スピーカ
320  ホッパーユニット
400  移動体                   401〜406  フィルタ
410  移動体移動機構
500  遊技制御装置
600  メイン制御手段
610  役抽選手段               620  メインリール制御手段
630  一般遊技制御手段         640  特別遊技制御手段
650  利益付与手段             660  信号送信手段
700  サブ制御手段
710  信号受信手段             720  サブリール制御手段
730  画像制御手段             740  効果音発生手段
750  移動体移動制御手段
（第２の実施の形態）
420  切欠部
（第３の実施の形態）
130,140,150  第１〜第３メインリール
131,141,151  第１〜第３メインリールモータ（メインリール駆動源）
240  サブリール               241  サブリールモータ（サブリール駆動源）
430  サブ表示窓
（第４の実施の形態）
800  下側飾枠                 810  下側飾枠
820  飾枠移動機構             830  飾枠発光源
900  飾枠移動制御手段         910  飾枠発光制御手段
（第５の実施の形態）
160,170,180  第１〜第３メインリール
161,171,181  第１〜第３メインリールモータ（メインリール駆動源）
250  サブリール               251  サブリールモータ（サブリール駆動源）
440  サブ表示窓
【図１】
2009112411.tif 000003
【図２】
2009112411.tif 000004
【図３】
2009112411.tif 000005
【図４】
2009112411.tif 000006
【図５】
2009112411.tif 000007
【図６】
2009112411.tif 000008
【図７】
2009112411.tif 000009
【図８】
2009112411.tif 000010
【図９】
2009112411.tif 000011
【図１０】
2009112411.tif 000012
【図１１】
2009112411.tif 000013
【図１２】
2009112411.tif 000014
【図１３】
2009112411.tif 000015
【図１４】
2009112411.tif 000016
【図１５】
2009112411.tif 000017
【図１６】
2009112411.tif 000018